(57)【要約】      （修正有）【課題】その毛髪を使用者自身の毛髪に馴染ませることができる髪付ヘアバンドを提供する。【解決手段】左右方向に延在する髪取付部１１と、左右方向に延在し、髪取付部の上方に配設され、髪取付部を覆うカバー部１２と、髪取付部及びカバー部の少なくとも何れかの両端部を互いに接続する接続部１３と、を有するバンド本体１と、基端部が髪取付部の上面の後側側縁近傍の第１領域に取り付けられて前方に伸延し、且つカバー部１２に覆われ、中間部から先端部に亘る部分がカバー部の前側側縁よりも前方に位置し、左右方向に並ぶ多数の毛髪を有する第１毛束列と、を備える。【選択図】図１
0003197260.tif 000002
【実用新案登録請求の範囲】
【請求項１】
左右方向に延在する髪取付部と、左右方向に延在し、前記髪取付部の上方に配設され、前記髪取付部を覆うカバー部と、前記髪取付部及び前記カバー部の少なくとも何れかの両端部を互いに接続する接続部と、を有するバンド本体と、
基端部が前記髪取付部の上面の後側側縁近傍の第１領域に取り付けられて前方に伸延し、且つ前記カバー部に覆われ、中間部から先端部に亘る部分が前記カバー部の前側側縁よりも前方に位置し、左右方向に並ぶ多数の毛髪を有する第１毛束列と、を備える、髪付ヘアバンド。
【請求項２】
前記カバー部によって覆われる前記第１毛束列の基端部の長さ寸法は、前記第１毛束列の全体の長さ寸法の１／３以上である、請求項１に記載の髪付ヘアバンド。
【請求項３】
基端部が前記髪取付部の第１領域よりも前方に位置する第２領域に取り付けられ、前記第１毛束列の下方において前方に伸延し、先端部が前記カバー部の前側側縁よりも前方に位置し、左右方向に並ぶ多数の毛髪を有する第２毛束列を備える、請求項１又は２に記載の髪付ヘアバンド。
【請求項４】
前記接続部は、前記髪取付部及び前記カバー部の少なくとも何れかの一方の端部から他方の端部に向かう方向に伸縮自在に構成されている、請求項１乃至３の何れかに記載の髪付ヘアバンド。
【請求項５】
前記接続部は、前記カバー部の両端部を互いに接続する、請求項１乃至４の何れかに記載の髪付ヘアバンド。
【請求項６】
前記カバー部は、後側側縁が前記髪取付部の後側側縁に連なる、請求項１乃至５の何れかに記載の髪付ヘアバンド。
【考案の詳細な説明】
【技術分野】
【０００１】
本考案は、髪付きへアバンドに関する。
【背景技術】
【０００２】
従来から毛髪付きヘアバンドが知られている（例えば特許文献１参照）。
【０００３】
この毛髪付きへアバンドは、前髪用毛髪の上端を前髪用支持体の外側面に固着し、前髪用支持体を固定手段を介してヘアバンドの内側面に固定して構成されている。これによって、前髪用毛髪を前髪の如く額に垂れ下げて用いることができ、美容的効果ないし化粧的効果を発揮することができる。
【先行技術文献】
【特許文献】
【０００４】
【特許文献１】登録実用新案第３０４０６１２号公報
【考案の概要】
【考案が解決しようとする課題】
【０００５】
しかし、特許文献１に記載の毛髪付きヘアバンドは、前髪用毛髪の上端がヘアバンドの下側（前側）の側縁の近傍に位置するため、前髪用毛髪を散らすと、前髪用毛髪の根元の前髪用支持体が露出する場合があり、毛髪が使用者自身の毛髪でないことが露呈し、不自然になることがあるという問題があった。
【課題を解決するための手段】
【０００６】
上記課題を解決するため、本考案のある態様に係る髪付きへアバンドは、左右方向に延在する髪取付部と、左右方向に延在し、前記髪取付部の上方に配設され、前記髪取付部を覆うカバー部と、前記髪取付部及び前記カバー部の少なくとも何れかの両端部を互いに接続する接続部と、を有するバンド本体と、基端部が前記髪取付部の上面の後側側縁近傍の第１領域に取り付けられて前方に伸延し、且つ前記カバー部に覆われ、中間部から先端部に亘る部分が前記カバー部の前側側縁よりも前方に位置し、左右方向に並ぶ多数の毛髪を有する第１毛束列と、を備える。
【０００７】
この構成によれば、第１毛束列の毛髪を散らしたときに毛髪の根元の植設部分が露出し、毛髪が使用者自身の毛髪でないことが露呈し、不自然な印象をもたらすことを防止することができる。したがって、第１毛束列の毛髪を散らすことによって、髪付ヘアバンドの毛髪を使用者自身の毛髪の流れにあわせることができ、髪付ヘアバンドの毛髪を使用者自身の毛髪に馴染ませることができる。
【０００８】
そして、散らした毛髪は、その基端を中心として左右に移動するので、使用者自身の毛髪を散らした場合と同様に、毛髪を散らすことによって薄くなった部分と濃くなった部分とを離すことができる。したがって、髪付ヘアバンドの散らした毛髪の流れを自然なものとすることができる。
【０００９】
前記カバー部によって覆われる前記第１毛束列の基端部の長さ寸法は、前記第１毛束列の全体の長さ寸法の１／３以上であってもよい。
【００１０】
この構成によれば、髪付ヘアバンドの散らした毛髪の流れを自然なものとすることができる。
【００１１】
基端部が前記髪取付部の第１領域よりも前方に位置する第２領域に取り付けられ、前記第１毛束列の下方において前方に伸延し、先端部が前記カバー部の前側側縁よりも前方に位置し、左右方向に並ぶ多数の毛髪を有する第２毛束列を備えてもよい。
【００１２】
この構成によれば、第１毛束列の毛髪を散らした場合であっても、第２毛束列を含む毛束列によって額が露出することを防止することができる。
【００１３】
前記接続部は、前記髪取付部及び前記カバー部の少なくとも何れかの一方の端部から他方の端部に向かう方向に伸縮自在に構成されていてもよい。
【００１４】
この構成によれば、髪付ヘアバンドを容易に装着することができる。
【００１５】
前記接続部は、前記カバー部の両端部を互いに接続していてもよい。
【００１６】
この構成によれば、散らした髪をカバー部によって押さえることができる。
【００１７】
前記カバー部は、後側側縁が前記髪取付部の後側側縁に連なっていてもよい。
【００１８】
この構成によれば、髪取付部の上方からカバー部がずれ、髪取付部が露出することを防止することができる。
【考案の効果】
【００１９】
本考案は、髪付ヘアバンドの毛髪を使用者自身の毛髪に馴染ませることができるという効果を奏する。また、散らした毛髪の流れを自然なものとすることができる。
【図面の簡単な説明】
【００２０】
【図１】本考案の実施の形態に係る髪付きへアバンドの構成例を示す斜視図である。
【図２】図１の髪付きへアバンドの構成例を示す一部破断平面図である。
【図３】図１の髪付きへアバンドの構成例を示す部分縦断面図である。
【図４】図１の髪付きへアバンドの使用例を示す図である。
【図５】図１の髪付きへアバンドの使用例を示す図である。
【考案を実施するための形態】
【００２１】
以下、本考案の実施の形態について、図面を参照しながら説明する。なお、本実施の形態によって本考案が限定されるものではない。また、以下では、全ての図を通じて、同一又は相当する要素には同一の参照符号を付して、その重複する説明を省略する。
【００２２】
図１は、本考案の実施の形態に係る髪付ヘアバンド１００の構成例を示す斜視図である。
【００２３】
図１に示すように、髪付ヘアバンド１００は、バンド本体１と、毛髪ユニット２とを備える。
【００２４】
なお、以下では、説明の便宜上、使用者が髪付ヘアバンド１００を装着したときに、使用者から見て上、下、左、右、前、後、を単にそれぞれ上、下、左、右、前、後ということがある。
【００２５】
バンド本体１は、髪取付部１１と、カバー部１２と、接続部１３とを有する。
【００２６】
図２は、髪付ヘアバンド１００の構成例を示す一部破断平面図である。図３は、髪付ヘアバンド１００の構成例を示す部分縦断面図である。
【００２７】
図２に示すように、髪取付部１１は、左右方向に延在する。髪取付部１１は、例えば幅約６ｃｍの布製の帯状体であるがこれに限られるものではない。
【００２８】
カバー部１２は、左右方向に延在する。カバー部１２は、例えば幅約６ｃｍの布製の帯状体であるがこれに限られるものではない。そして、カバー部１２は、髪取付部１１の上方に配設され、髪取付部１１を覆っている。そして、図１及び図３に示すように、カバー部１２の後側側縁１２ａは、髪取付部１１の後側側縁１１ａに縫合され、髪取付部１１の後側側縁１１ａに連なっている。したがって、髪取付部１１の上方からカバー部１２がずれ、髪取付部１１が露出することを防止することができる。
【００２９】
また、図２に示すように、髪取付部１１の前側側縁１１ｂ及びカバー部１２の前側側縁１２ｂの一方の端部側及び他方の端部側の部分（後述する毛髪ユニット２の毛髪が位置していない部分）は、縫合されている。これによって、カバー部１２が浮いて、髪取付部１１が露出することを防止することができる。
【００３０】
そして、図１に示すように、髪取付部１１及びカバー部１２の両端部の両側縁は内側に折り込まれて縫合され、留められている。したがって、髪取付部１１及びカバー部１２の両端部の幅寸法は、髪取付部１１及びカバー部１２の中間部の幅寸法よりも小さく構成されている。このように、使用者が髪取付部１１及びカバー部１２の両端部を把持し易くなっている。髪取付部１１及びカバー部１２の両端部の幅寸法は、例えば約３ｃｍである。
【００３１】
接続部１３は、髪取付部１１及びカバー部１２の少なくとも何れかの両端部を互いに接続する。このように、バンド本体１は環状に形成されている。接続部１３は、布製の扁平な筒状体であり、内部に接続部１３の延在方向に延在する伸縮自在なゴム体（図示せず）が配設されている。そして、ゴム体は、収縮時の長さ寸法が接続部１３の長さ寸法よりも短く形成され、伸長時の長さ寸法が接続部１３の長さ寸法と大略同じ寸法に形成されている。そして、ゴム体の両端部は、ぞれぞれ接続部１３の両端部に固定されている。したがって、接続部１３は、髪取付部１１及びカバー部１２の少なくとも何れかの一方の端部から他方の端部に向かう方向に伸縮自在に構成されている。そして、接続部１３を収縮させた状態においては、接続部１３は蛇腹状となる。上述の通り、髪取付部１１及びカバー部１２の両端部の幅寸法は、髪取付部１１及びカバー部１２の中間部の幅寸法よりも小さく構成され、使用者が髪取付部１１及びカバー部１２の両端部を把持し易くなっているので、使用者が髪取付部１１及びカバー部１２の両端部を把持し、接続部１３を容易に伸縮させることができるようになっている。よって、髪付ヘアバンド１００を使い易いものとすることができる。
【００３２】
本実施の形態において、接続部１３は、髪取付部１１及びカバー部１２の両端部を互いに接続する。従って、詳細は後述する通り、使用者が髪付ヘアバンド１００を装着した状態においては、髪取付部１１及びカバー部１２は、接続部１３が収縮するときに作用する力によって、使用者の頭部に向かって押し付けられる。
【００３３】
そして、バンド本体１の周方向の長さ寸法は、接続部１３を伸長させた状態において、使用者の頭囲の寸法よりも長くなるように構成され、接続部１３を収縮させた状態において、使用者の頭囲の寸法よりも短くなるように構成されている。これによって、接続部１３を伸長させることによって、使用者は、頭部にバンド本体１を装着することができ、また、接続部１３を短縮させることによって、使用者は、頭部にバンド本体１を留めることができる。
【００３４】
図２及び図３に示すように、毛髪ユニット２は、毛髪植設部２１と、毛髪植設部２１に植設された多数の毛髪２０とを有する。毛髪植設部２１に植設された毛髪２０は、人工毛髪であり、例えば樹脂製である。
【００３５】
毛髪植設部２１は、毛髪２０が植設されるものであり、例えばメッシュ状の布である。そして、毛髪２０は、毛髪植設部２１のメッシュ状の布に引っ掛けられると共に、このメッシュ状の布に根元が縫い付けられて固定されている。毛髪植設部２１の前後方向の寸法は、髪取付部１１の前後方向の寸法よりも短く構成されている。そして、毛髪植設部２１は、髪取付部１１の上面に接着材によって接着され、固定されている。すなわち、毛髪植設部２１は、髪取付部１１及びカバー部１２の間に配設されている。
【００３６】
そして、毛髪植設部２１に植設された毛髪は、植設された部分から前方に伸延するように構成されている。そして、毛髪植設部２１は、左右方向に一列に並ぶ多数の毛髪によって構成される毛束列が前後方向に複数段設けられ、例えば毛髪植設部２１の後端から前方の向かって、第１乃至第１０の毛束列２２乃至３１を構成している。これによって、多数の毛髪を毛髪植設部２１に設けることができ、毛髪の量を適度な量とすることができる。そして、後側の毛束列は、その前方に位置する毛束列の上に覆い被さっている。
【００３７】
なお、本実施の形態において、第１乃至第１０の毛束列２２乃至３１は、左右方向に一列に並ぶ多数の毛髪によって構成されているが、これに限定されない。例えば、複数の毛髪を含む毛束群を毛髪植設部２１に散点的に多数植設し、この多数の毛束群のうち、左右方向に延びる所定の領域に位置する複数の毛束群によって毛束列を構成してもよい。
【００３８】
そして、上下方向から見て、毛髪植設部２１を介して第１毛束列２２の基端部２２ａが取り付けられている髪取付部１１の領域が第１領域Ｓ１を構成する。すなわち、髪取付部１１の上面の後側側縁１１ａ近傍の領域が第１領域Ｓ１を構成する。また、上下方向から見て、毛髪植設部２１を介して第２毛束列２３の基端部２３ａが取り付けられている髪取付部１１の領域が第２領域Ｓ２を構成する。
【００３９】
そして、第１毛束列２２は、中間部２２ｂから先端部２２ｃに亘る部分がカバー部１２の前側側縁１２ｂよりも前方に位置する。そして、カバー部１２によって覆われる第１毛束列２２の基端部２２ａの長さ寸法は、第１毛束列２２の全体の長さ寸法の１／３以上である。また、第２毛束列２３は、第１毛束列２２の下方において前方に伸延し、先端部２３ｂがカバー部１２の前側側縁１２ｂよりも前方に位置する。
【００４０】
なお、上記において、第２毛束列２３は、第１毛束列２２に隣接する毛束列としたが、これに限られるものではなく、離れていてもよい。
【００４１】
［使用例］
次に、髪付ヘアバンド１００の使用例を説明する。
【００４２】
図４は、髪付ヘアバンド１００の使用例を示す図である。図５は、髪付ヘアバンド１００の使用例を示す図である。
【００４３】
まず、髪付ヘアバンド１００を装着するときは、髪取付部１１及びカバー部１２の両端部を把持し、接続部１３を伸長させ、図４に示すように、使用者の頭部にバンド本体１を装着し、接続部１３を収縮させる。このとき、毛髪ユニット２が使用者の前髪あたりに位置するようにバンド本体１の位置を調整する。このように、接続部１３を伸縮させることによって、髪付ヘアバンド１００を容易に装着することができる。
【００４４】
そして、例えば使用者自身の毛髪の流れ（延在方向）に若干の乱れがある一方、髪付ヘアバンド１００の毛髪ユニット２の毛髪が整然と前方に流れているよう場合、使用者自身の毛髪の流れと馴染んでいないような印象をもたらす場合がある。このような場合、毛髪ユニット２の表面（上面）に位置する毛髪、すなわち主に第１毛束列２２の毛髪を含む毛髪を散らしてもよい。すなわち、第１毛束列２２を含む毛髪のうち一部の毛髪の流れが左右に隣り合う毛髪の流れと異なるように当該一部の毛髪を左方又は右方に移動させてもよい。このとき、第１毛束列２２の基端部２２ａは、カバー部１２によって覆われているので、毛髪を散らした際に形成される分け目から第１毛束列２２の根元の毛髪植設部２１が露出し、毛髪２０が使用者自身の毛髪でないことが露呈し、不自然な印象をもたらすことを防止することができる。これによって、毛髪ユニット２の毛髪を使用者自身の毛髪の流れにあわせることができ、毛髪ユニット２を使用者自身の毛髪に馴染ませることができる。
【００４５】
そして、図５に示すように、毛髪ユニット２の毛髪２０を散らすことによって、移動させた一部の毛髪が位置していた部分Ａ１に位置する毛髪は薄くなり、当該一部の毛髪を位置させた部分Ａ２は濃くなる。移動させた一部の毛髪は基端を中心として左右に移動するので、使用者自身の毛髪を散らした場合と同様に、薄くなった部分Ａ１と濃くなった部分Ａ２とを離すことができる。したがって、毛髪ユニット２の散らした毛髪の流れを自然なものとすることができる。
【００４６】
また、使用者が髪付ヘアバンド１００を装着した状態においては、カバー部１２は、接続部１３が収縮することによって作用する力によって毛髪ユニット２に押し付けられる。したがって、毛髪ユニット２によって上記の散らした毛髪を押さえることができ、毛髪ユニット２を使用者自身の毛髪に馴染ませた状態を維持することができる。
【００４７】
更に、カバー部１２によって覆われる第１毛束列２２の基端部２２ａの長さ寸法は、第１毛束列２２の全体の長さ寸法の１／３以上であるので、第１毛束列２２の基端部２２ａに形成される分け目が露出することを効果的に防止することができる。よって、更に毛髪ユニット２の毛髪の流れを自然なものとすることができる。
【００４８】
また、第１毛束列２２の下方に第２毛束列２３を含む毛髪が位置しているので、第１毛束列２２の毛髪を散らした場合であっても、第２毛束列２３を含む毛束列によって直ちに額が露出することを防止することができる。これよって、更に、毛髪ユニット２の毛髪の流れを自然なものとすることができる。
【００４９】
以上のようにして、毛髪ユニット２を装着することができる。
【００５０】
なお、毛髪ユニット２は、使用者の好みに合わせてカットしてもよい。
【００５１】
以上に説明したように、本考案の髪付ヘアバンド１００は、第１毛束列２２の基端部２２ａがカバー部１２によって覆われ、中間部２２ｂから先端部２２ｃに亘る部分がカバー部１２の前側側縁１２ｂよりも前方に位置し、露出しているので、第１毛束列２２の毛髪を散らした際に形成される分け目から第１毛束列２２の根元の毛髪植設部２１が露出し、毛髪２０が使用者自身の毛髪でないことが露呈し、不自然な印象をもたらすことを防止することができる。そして、第１毛束列２２の毛髪を散らすことによって、髪付ヘアバンド１００の毛髪を使用者自身の毛髪の流れにあわせることができ、髪付ヘアバンド１００の毛髪を使用者自身の毛髪に馴染ませることができる。
【００５２】
そして、散らした毛髪は、その基端を中心として左右に移動するので、使用者自身の毛髪を散らした場合と同様に、薄くなった部分と濃くなった部分とを離すことができる。したがって、毛髪ユニット２の散らした毛髪の流れを自然なものとすることができる。
【００５３】
上記説明から、当業者にとっては、本考案の多くの改良や他の実施形態が明らかである。従って、上記説明は、例示としてのみ解釈されるべきであり、本考案を実行する最良の態様を当業者に教示する目的で提供されたものである。本考案の精神を逸脱することなく、その構造及び／又は機能の詳細を実質的に変更できる。
【符号の説明】
【００５４】
Ｓ１  第１領域
Ｓ２  第２領域
１  バンド本体
２  毛髪ユニット
１１  髪取付部
１１ａ  （髪取付部の）後側側縁
１１ｂ  （髪取付部の）前側側縁
１２  カバー部
１２ａ  （カバー部の）後側側縁
１２ｂ  （カバー部の）前側側縁
１３  接続部
２１  毛髪植設部
２２  第１毛束列
２２ａ  （第１毛束列の）基端部
２２ｂ  （第１毛束列の）中間部
２２ｃ  （第１毛束列の）先端部
２３  第２毛束列
２３ａ  （第２毛束列の）基端部
２３ｂ  （第２毛束列の）先端部
１００  髪付ヘアバンド
【図１】
0003197260.tif 000003
【図２】
0003197260.tif 000004
【図３】
0003197260.tif 000005
【図４】
0003197260.tif 000006
【図５】
0003197260.tif 000007